(57)【特許請求の範囲】
【請求項１】
操作部材の回転によってデッドボルトを進退させる本締錠と、前記操作部材の回転によって鎌形のボルトを進退させる鎌錠とを備えてなり、前記本締錠、鎌錠は、前記デッドボルト、ボルトの各進出方向が互いに直交するようにしてそれぞれの回転軸を連結し、前記本締錠は、前記操作部材の回転角（０〜９０）°、（９０〜１８０）°の各範囲をそれぞれ前記デッドボルトの施錠区間、移行区間に設定する一方、前記鎌錠は、前記操作部材の回転角（０〜９０）°、（９０〜１８０）°の各範囲をそれぞれ前記ボルトの移行区間、施錠区間に設定することを特徴とする複合錠。
【請求項２】
前記本締錠には、前記デッドボルトの進出を阻止するストッパを付設することを特徴とする請求項１記載の複合錠。
【請求項３】
前記ストッパは、前記本締錠の施錠対象が所定の施錠位置にあることにより前記デッドボルトの進出を許容することを特徴とする請求項２記載の複合錠。
【請求項４】
前記鎌錠の施錠対象は、吊下げ形の移動間仕切りパネルであり、前記本締錠の施錠対象は、ヒンジを介して前記移動間仕切りパネルの一端に連結する扉パネルであることを特徴とする請求項１ないし請求項３のいずれか記載の複合錠。
【発明の詳細な説明】
【技術分野】
【０００１】
この発明は、たとえば移動間仕切りパネルに扉パネルを連結するときなどに好適に使用することができる複合錠に関する。
【背景技術】
【０００２】
建築物の開口部に設置する扉や引戸などを施錠するために、本締錠や鎌錠などが広く一般的に使用されている（たとえば非特許文献１、特許文献１）。
【０００３】
本締錠は、ケーシング内のデッドボルトを鍵やサムターンなどの操作部材の回転によってフロント面から直線的に進出させ、デッドボルトを受座に係合させて施錠することができる。また、鎌錠は、鎌形のボルトをケーシングから円弧状に回転させながら進出させ、受座に係合させて施錠する。
【非特許文献１】下出源七編、建築大辞典、彰国社（昭和４９年１０月１０日）、２７９、１４４０頁
【特許文献１】特開平８−２５４０５３号公報
【発明の開示】
【発明が解決しようとする課題】
【０００４】
かかる従来技術によるときは、本締錠や鎌錠は、施錠対象が単一の扉または引戸などに限られるから、たとえば吊下げ形の移動間仕切りパネルにヒンジ式の扉パネルを連結する場合などを想定すると、間仕切りパネルと扉パネルとの双方に対してそれぞれ個別の本締錠や鎌錠を設ける必要があり、施錠操作が煩雑になりがちであり、体裁もよくないという問題があった。
【０００５】
そこで、この発明の目的は、本締錠と鎌錠とを連結することによって、移動間仕切りパネルと扉パネルのような２種の施錠対象を簡便に施錠することができる上、外観体裁を良好にまとめることができる複合錠を提供することにある。
【課題を解決するための手段】
【０００６】
かかる目的を達成するためのこの発明の構成は、操作部材の回転によってデッドボルトを進退させる本締錠と、操作部材の回転によって鎌形のボルトを進退させる鎌錠とを備えてなり、本締錠、鎌錠は、デッドボルト、ボルトの各進出方向が互いに直交するようにしてそれぞれの回転軸を連結し、本締錠は、操作部材の回転角（０〜９０）°、（９０〜１８０）°の各範囲をそれぞれデッドボルトの施錠区間、移行区間に設定する一方、鎌錠は、操作部材の回転角（０〜９０）°、（９０〜１８０）°の各範囲をそれぞれボルトの移行区間、施錠区間に設定することをその要旨とする。
【０００７】
なお、本締錠には、デッドボルトの進出を阻止するストッパを付設することができ、ストッパは、本締錠の施錠対象が所定の施錠位置にあることによりデッドボルトの進出を許容することができる。
【０００８】
また、鎌錠の施錠対象は、吊下げ形の移動間仕切りパネルであり、本締錠の施錠対象は、ヒンジを介して移動間仕切りパネルの一端に連結する扉パネルであってもよい。
【発明の効果】
【０００９】
かかる発明の構成によるときは、本締錠、鎌錠は、それぞれの回転軸が互いに連結されており、共通の操作部材を回転させることによって、それぞれデッドボルト、ボルトを互いに直交する２方向に進出させることができる。そこで、たとえば鎌錠のボルトを移動間仕切りパネルの下端から下向きに進出させ、床面の受座に係合させて移動間仕切りパネルを施錠するとともに、ヒンジを介して移動間仕切りパネルに連結する扉パネルに向けて本締錠のデッドボルトを水平に進出させ、扉パネル内の受座に係合させることにより扉パネルを施錠することができる。なお、ここでいう操作部材とは、回転軸を回転させるサムターンや、鍵またはハンドルなどであり、たとえば本締錠のケーシングに搭載して本締錠の回転軸に連結すればよい。また、本締錠、鎌錠の各回転軸は、相対回転不能に、しかも分離可能に連結することが好ましい。
【００１０】
本締錠に付設するストッパは、デッドボルトの進出を阻止することにより、操作部材を回転不能に拘束し、たとえば鎌錠による施錠状態を安定に維持することができる。また、ストッパは、本締錠の施錠対象が所定の施錠位置にあることによりデッドボルトの進出を許容して、施錠対象を確実に施錠することができる。
【００１１】
本締錠、鎌錠は、共通の操作部材の回転角（０〜１８０）°の回転範囲のうち、前半の回転角（０〜９０）°の範囲、後半の回転角（９０〜１８０）°の範囲をそれぞれデッドボルトの施錠区間、移行区間、ボルトの移行区間、施錠区間に分割して割り当てることにより、操作部材の所要操作力を小さく抑えて操作を円滑にすることができる上、それぞれの施錠対象の双方を施錠し、任意の一方を選択して施錠することができる。ただし、ここでいう施錠区間とは、デッドボルトまたはボルトがケーシングの外部の施錠状態に進出して保持される区間をいい、移行区間とは、デッドボルトまたはボルトがケーシングの内部の解錠状態、外部の施錠状態の間を進退して移行する区間をいう。
【発明を実施するための最良の形態】
【００１２】
以下、図面を以って発明の実施の形態を説明する。
【００１３】
複合錠は、本締錠１０、鎌錠２０を一体に連結してなる（図１、図２）。ただし、図２（Ａ）、（Ｂ）は、それぞれ図１のＸ−Ｘ線矢視相当図、図２（Ａ）のＹ−Ｙ線矢視相当図である。
【００１４】
本締錠１０は、ケーシング１１に対してサムターン１２ａ付きの回転軸１２を組み込み、ケーシング１１のフロント面１１ａ側から進出するデッドボルト１３を有する。なお、デッドボルト１３は、サムターン１２ａを介して回転軸１２を正逆に回転させることにより、フロント面１１ａから直線的に進退させることができる。ただし、ケーシング１１のフロント面１１ａ側には、必要に応じてデッドボルト１３の進出を阻止するストッパ１４が併せて付設されている。
【００１５】
ストッパ１４は、デッドボルト１３が進出するケーシング１１のフロント面１１ａ側において、ケーシング１１と一体のガイド枠１１ｃと組み合わせてケーシング１１に組み付けられている（図３）。ただし、図３（Ａ）、（Ｂ）は、それぞれ要部分解斜視図、図３（Ａ）のＺ−Ｚ線矢視相当拡大断面図である。
【００１６】
ストッパ１４の左右は、それぞればね１４ａを介してガイド枠１１ｃに連結されている。ばね１４ａの両端は、ストッパ１４、ガイド枠１１ｃに固定する止めねじ１４ｂ、１４ｂに連結されている。したがって、ストッパ１４は、ばね１４ａ、１４ａを介し、デッドボルト１３が進出するケーシング１１の窓１１ｂを閉じる位置に常時付勢されており、デッドボルト１３の進出を阻止することができる（図３（Ｂ）の実線）、一方、ストッパ１４は、外力を加えてばね１４ａ、１４ａに抗して移動させ、窓１１ｂを開放することにより（図３（Ｂ）の一点鎖線）、デッドボルト１３の進出を許容することができる（図３（Ａ）、（Ｂ）の各二点鎖線）。なお、ストッパ１４は、デッドボルト１３が窓１１ｂから進出すると、デッドボルト１３に妨げられて窓１１ｂを閉じることができず、デッドボルト１３がケーシング１１内に後退すると、自動的に窓１１ｂを閉じる。
【００１７】
鎌錠２０は、ケーシング２１に対して回転軸２２を組み込み、鎌形のボルト２３を有する（図１、図２）。ボルト２３は、回転軸２２を正逆に回転させることにより、ケーシング２１のフロント面２１ａ側から回転させるようにして進退させることができる。ただし、鎌錠２０の回転軸２２は、本締錠１０の回転軸１２の先端に着脱自在に嵌合する図示しないソケットを介し、回転軸１２と相対回転不能に、しかも分離可能に連結されている。そこで、鎌錠２０のボルト２３は、本締錠１０のサムターン１２ａを介して本締錠１０のデッドボルト１３と連動させて駆動することができる。なお、本締錠１０、鎌錠２０のケーシング１１、２１は、ケーシング２１側に固定する大小のスペーサ２１ｂ、２１ｂを介して連結されている。
【００１８】
本締錠１０は、吊下げ形の移動間仕切りパネル３１の下框３１ａの表面に取り付けられている（図１、図４）。ただし、図４（Ａ）〜（Ｄ）は、それぞれ本締錠１０の取付状況を示す模式平面図、模式正面図、拡大平面図、拡大正面図である。
【００１９】
移動間仕切りパネル３１の一端には、ヒンジ３３を介して移動間仕切りパネル３１上に折り重ね可能な扉パネル３２が連結されており、本締錠１０は、図４（Ａ）、（Ｂ）のように扉パネル３２を移動間仕切りパネル３１上に折り重ねて施錠することができる。すなわち、本締錠１０のデッドボルト１３は、扉パネル３２を施錠対象として、扉パネル３２の下框３２ａの先端面に付設する受座３４に係合させることができる。また、ストッパ１４は、扉パネル３２を移動間仕切りパネル３１上に折り重ね、扉パネル３２が所定の施錠位置にあるときに、扉パネル３２の下框３２ａの先端と係合して窓１１ｂを開放し（図３（Ｂ）の一点鎖線）、デッドボルト１３の進出を許容することができる。
【００２０】
一方、鎌錠２０は、移動間仕切りパネル３１の下框３１ａ内に、本締錠１０に対応するようにして下向きに組み込まれている（図１、図２）。鎌錠２０の施錠対象は、移動間仕切りパネル３１であり、したがって、鎌錠２０のボルト２３は、床面ＦＬに設置する受座３５に係合して移動間仕切りパネル３１を移動不能に施錠することができ（図２（Ａ）の実線）、ケーシング２１内に後退して移動間仕切りパネル３１を移動可能に解放することができる（同図の二点鎖線）。
【００２１】
本締錠１０のデッドボルト１３、鎌錠２０のボルト２３は、本締錠１０上の共通のサムターン１２ａを回転させることにより、それぞれケーシング１１、２１から進出する施錠状態、ケーシング１１、２１内に後退する解錠状態に移行させることができる。たとえば、サムターン１２ａの回転角θ＝０°のとき（図４）、デッドボルト１３は、施錠状態に進出し、施錠位置にある扉パネル３２を施錠する一方、ボルト２３は、解錠状態に後退して移動間仕切りパネル３１を移動可能に解放する。そこで、移動間仕切りパネル３１は、折り重ねられた扉パネル３２とともに、任意に安全に移動させることができる。なお、このとき、ストッパ１４は、扉パネル３２が移動間仕切りパネル３１上に折り重ねられて施錠位置にあることにより、デッドボルト１３の進出を許容している。
【００２２】
移動間仕切りパネル３１を所定の位置に移動させ、サムターン１２ａを９０°回転させると、ボルト２３が施錠状態に進出し（図５）、移動間仕切りパネル３１を移動不能に施錠する。このとき、デッドボルト１３は、施錠状態を保持し、扉パネル３２を施錠のまま維持する。なお、図５（Ａ）〜（Ｄ）は、次の図６（Ａ）〜（Ｄ）とともに、それぞれ図４（Ａ）〜（Ｄ）に対応している。
【００２３】
つづいて、サムターン１２ａをさらに９０°回転させると（図６）、デッドボルト１３が解錠状態に後退し、扉パネル３２を開閉可能に解放する。そこで、扉パネル３２を移動間仕切りパネル３１の延長線上に開き、たとえば図示しない壁面とのシールを完成させることができる。なお、扉パネル３２を開くと、ストッパ１４は、デッドボルト１３の進出用の窓１１ｂを自動的に閉じ、デッドボルト１３の進出を阻止するため、以後、サムターン１２ａは、回転不能に拘束され、鎌錠２０による移動間仕切りパネル３１の施錠が不用意に解除されるおそれがない。
【００２４】
また、図６において、扉パネル３２を移動間仕切りパネル３１上に折り重ねて施錠位置に戻すことにより、ストッパ１４によるデッドボルト１３の進出阻止を解除し、サムターン１２ａの拘束を解除することができる。そこで、サムターン１２ａを９０°逆方向に回転させると、デッドボルト１３が進出して扉パネル３２を施錠し（図５）、サムターン１２ａをさらに９０°逆方向に回転させると、扉パネル３２を施錠したままボルト２３を後退させて移動間仕切りパネル３１の施錠を解除することができる（図４）。
【００２５】
なお、図４〜図６のデッドボルト１３、ボルト２３の動作をサムターン１２ａの回転角θに対応させて図示すると、図７のとおりである。ただし、図７において、曲線１３、２３は、それぞれデッドボルト１３、ボルト２３の動作を示している。図７において、サムターン１２ａの回転角θ＝（０〜９０）°の範囲は、デッドボルト１３を施錠状態に保持するデッドボルト１３の施錠区間、ボルト２３を解錠状態から施錠状態に移行させるボルト２３の移行区間となっており、回転角θ＝（９０〜１８０）°の範囲は、デッドボルト１３の移行区間、ボルト２３の施錠区間となっている。また、サムターン１２ａの回転角θ＝１８０°において、デッドボルト１３が解錠状態に後退すると、ストッパ１４がデッドボルト１３の進出を自動的に阻止する（図７の矢印１４）。図７のデッドボルト１３、ボルト２３の動作は、ストッパ１４の動作を除き、サムターン１２ａの回転角θ＝（０〜１８０）°の正逆の回転に対して可逆的に対応している。
【００２６】
本締錠１０、鎌錠２０の内部機構の一例を図８〜図１２に示す。ただし、図８〜図１２の各（Ａ）、（Ｂ）は、それぞれ図２（Ａ）相当の鎌錠２０、図１相当の本締錠１０、鎌錠２０の内部構造模式図であり、各（Ｃ）は、本締錠１０の内部構造を示す正面模式図である。なお、図８、図１０、図１２の本締錠１０、鎌錠２０は、それぞれ図４、図５、図６のサムターン１２ａ、回転軸１２、２２の回転角θ＝０°、９０°、１８０°に対応している。また、図９、図１１の本締錠１０、鎌錠２０は、それぞれ回転角θ＝４５°、１３５°に対応している。
【００２７】
図８（Ｂ）、（Ｃ）において、本締錠１０の回転軸１２、デッドボルト１３は、ケーシング１１内のフレーム体１５に組み付けられている。回転軸１２には、前後一対のカム板１２ｂ、１２ｂが同一位相に取り付けられており、デッドボルト１３には、フレーム体１５の前後の長孔１５ａ、１５ａに沿って移動可能な駆動ピン１３ａが貫通している。また、駆動ピン１３ａの両端には、前後のリンク１３ｂ、１３ｂの一端が回転自在に連結されている。リンク１３ｂ、１３ｂのカム板１２ｂ、１２ｂ側の先端は、共通の移動ピン１３ｃを介して連結されており、移動ピン１３ｃは、フレーム体１５の前後のガイドスリット１５ｂ、１５ｂ内を摺動自在に移動することができる。各ガイドスリット１５ｂは、回転軸１２のまわりに四分円状に形成されている。
【００２８】
さらに、移動ピン１３ｃは、揺動リンク１６の先端部の長孔１６ａを摺動自在に貫通しており、揺動リンク１６の基部は、フレーム体１５上の固定ピン１５ｃに回転自在に連結されている。なお、揺動リンク１６には、固定ピン１５ｃ、移動ピン１３ｃの間にばね１６ｂが装着されている。また、フレーム体１５には、カム板１２ｂ、１２ｂに当接して回転軸１２、サムターン１２ａの回転角θ≦１８０°に制限するストッパピン１５ｄが設けられている。ただし、図８（Ｃ）には、ばね１６ｂ付きの揺動リンク１６が別図として併せて図示されている。
【００２９】
図８（Ａ）、（Ｂ）において、鎌錠２０は、スペーサ２１ｂ、２１ｂ付きのケーシング２１内に回転軸２２、ボルト２３を組み込んで構成されている。回転軸２２には、前後一対のカム板２２ｂ、２２ｂが取り付けられており、ボルト２３は、ケーシング２１上の固定ピン２３ａのまわりに回転自在である。ボルト２３のカム板２２ｂ、２２ｂ側の先端には、スリット２３ｂが形成されており、スリット２３ｂには、ケーシング２１の前後のガイドスリット２１ｃ、２１ｃに沿って移動する移動ピン２３ｃが摺動自在に係合している。なお、各ガイドスリット２１ｃは、回転軸２２のまわりに四分円状に形成されている。
【００３０】
固定ピン２３ａには、揺動リンク２４の一端が回転自在に連結されている。揺動リンク２４の先端の長孔２４ａには、移動ピン２３ｃが摺動自在に貫通しており、揺動リンク２４には、固定ピン２３ａ、移動ピン２３ｃの間にばね２４ｂが装着されている。また、ケーシング２１には、カム板２２ｂ、２２ｂに当接して回転軸２２、サムターン１２ａの回転角θ≦１８０°に制限するストッパピン２１ｄが配設されている。ただし、図８（Ａ）には、前後のカム板２２ｂ、２２ｂ、前後のガイドスリット２１ｃ、２１ｃは、それぞれ各一方のみが図示されており、ばね２４ｂ付きの揺動リンク２４が別図として併せて図示されている。
【００３１】
図８において、本締錠１０のデッドボルト１３は、リンク１３ｂ、１３ｂを介して長孔１５ａ、１５ａの先端に位置決めされる駆動ピン１３ａにより施錠状態に進出しており、リンク１３ｂ、１３ｂは、カム板１２ｂ、１２ｂ、ガイドスリット１５ｂ、１５ｂによって位置決めされる移動ピン１３ｃを介して、長孔１５ａ、１５ａと平行に配置されている。なお、このとき、揺動リンク１６上のばね１６ｂは、十分に伸長している。一方、鎌錠２０のボルト２３は、カム板２２ｂ、２２ｂの切込みに嵌まり込みながらガイドスリット２１ｃ、２１ｃの一端に位置決めされる移動ピン２３ｃを介して固定ピン２３ａのまわりに位置決めされ、ケーシング２１内に後退して解錠状態となっており、揺動リンク２４上のばね２４ｂは、十分に伸長している。
【００３２】
そこで、サムターン１２ａを介して回転軸１２、２２を正方向に回転させると（図８（Ｃ）、（Ａ）の各矢印方向）、鎌錠２０の移動ピン２３ｃは、カム板２２ｂ、２２ｂの回転とともにガイドスリット２１ｃ、２１ｃ内を移動することにより、ボルト２３を固定ピン２３ａのまわりに反時計方向に回転させ（図８（Ａ）、図９（Ａ）の各矢印Ｋ2 方向）、サムターン１２ａの回転角θ＝９０°において、ボルト２３を施錠状態に駆動することができる（図１０（Ａ）、（Ｂ））。また、このとき、移動ピン２３ｃは、カム板２２ｂ、２２ｂの回転に従って揺動リンク２４の長孔２４ａ内を固定ピン２３ａに向けて移動し、回転角θ＝４５°においてばね２４ｂを最短に押し縮める（図９（Ａ））。そこで、ばね２４ｂは、サムターン１２ａの操作力を回転角θ＝４５°において最大となるように変化させ、ボルト２３を解錠状態から施錠状態に進出させるまでの間に、サムターン１２ａの快適な操作感を実現することができる。
【００３３】
一方、本締錠１０は、回転角θ＝（０〜９０）°において、カム板１２ｂ、１２ｂが回転しても移動ピン１３ｃの位置が一定に保たれるため、デッドボルト１３が施錠位置に保持されたままである（図８〜図１０の各（Ｂ）、（Ｃ））。
【００３４】
鎌錠２０のボルト２３は、回転角θ＞９０°に回転軸２２を回転させても、施錠状態に保持される（図１０〜図１２の各（Ａ）、（Ｂ））。このとき、移動ピン２３ｃは、カム板２２ｂ、２２ｂが回転しても、一定位置に保たれるからである。
【００３５】
一方、本締錠１０は、回転角θ＝（９０〜１８０）°において、デッドボルト１３を施錠状態から解錠状態に移行させることができる（図１０〜図１２の各（Ｂ）、（Ｃ））。回転角θ＝９０°においてカム板１２ｂ、１２ｂの扇形の突部に係合する移動ピン１３ｃは、カム板１２ｂ、１２ｂが回転するに従って、揺動リンク１６上のばね１６ｂを押し縮めながらガイドスリット１５ｂ、１５ｂに沿って移動し、リンク１３ｂ、１３ｂ、駆動ピン１３ａを介してデッドボルト１３を解錠状態に後退させるように駆動するからである（図１０（Ｃ）、図１１（Ｃ）の各矢印Ｋ1 方向）。なお、ばね１６ｂは、回転角θ＝１３５°において最短に押し縮められ、デッドボルト１３を施錠状態から解錠状態に移行させる際に、サムターン１２ａの快適な操作感を実現することができる。
【００３６】
一方、デッドボルト１３が完全に解錠状態に後退すると（図１２（Ｂ）、（Ｃ））、ストッパ１４は、ばね１４ａ、１４ａを介してデッドボルト１３の前方に移動し、デッドボルト１３の進出を阻止する。また、図１２の本締錠１０、鎌錠２０は、サムターン１２ａを介して回転軸１２、２２を逆方向に１８０°回転させることにより、図８の元の状態に戻すことができる。
【００３７】
以上の説明において、回転軸１２、２２を回転させるサムターン１２ａは、鍵や、ハンドルなどの操作部材に代えてもよく、本締錠１０側に搭載するに代えて、鎌錠２０側に搭載してもよい。また、本締錠１０、鎌錠２０は、図４〜図６のように、デッドボルト１３、ボルト２３をそれぞれ左向き、下向きに組み合わせるに代えて、両者をそれぞれ右向き、下向きに組み合わせてもよい。すなわち、本締錠１０、鎌錠２０は、デッドボルト１３、ボルト２３の進出方向が互いに直交するように任意の方向に組み合わせることができる。また、本締錠１０、鎌錠２０の各施錠対象は、扉パネル３２、移動間仕切りパネル３１に代えて、他の任意の移動部材の組合せであってもよい。
【図面の簡単な説明】
【００３８】
【図１】使用状態平面図
【図２】図１の要部構成説明図
【図３】本締錠の要部構成説明図
【図４】使用状態説明図（１）
【図５】使用状態説明図（２）
【図６】使用状態説明図（３）
【図７】動作説明線図
【図８】動作説明図（１）
【図９】動作説明図（２）
【図１０】動作説明図（３）
【図１１】動作説明図（４）
【図１２】動作説明図（５）
【符号の説明】
【００３９】
１０…本締錠
１２…回転軸
１３…デッドボルト
１４…ストッパ
２０…鎌錠
２２…回転軸
２３…ボルト
特許出願人          小松ウオール工業株式会社
代理人  弁理士                松  田  忠  秋
【図１】
0005226273.tif 000002
【図２】
0005226273.tif 000003
【図３】
0005226273.tif 000004
【図４】
0005226273.tif 000005
【図５】
0005226273.tif 000006
【図６】
0005226273.tif 000007
【図７】
0005226273.tif 000008
【図８】
0005226273.tif 000009
【図９】
0005226273.tif 000010
【図１０】
0005226273.tif 000011
【図１１】
0005226273.tif 000012
【図１２】
0005226273.tif 000013